(57)【特許請求の範囲】
【請求項１】
ユーザ機器によって送信されたアップリンクデータパケットの変調符号化方式及び初期ブロックエラーレートを検出し、
検出された前記ユーザ機器によって送信されたアップリンクデータパケットの変調符号化方式のインデックスと、第１の閾値との間の関係、及び、検出された前記ユーザ機器によって送信されたアップリンクデータパケットの初期ブロックエラーレートと、第２の閾値との間の関係に従って、前記ユーザ機器のアップリンク電力が制限されているかどうかを判定すること
を含む、アップリンク電力を検出する方法。
【請求項２】
検出された前記ユーザ機器によって送信されたアップリンクデータパケットの変調符号化方式のインデックスと、第１の閾値との間の関係、及び、検出された前記ユーザ機器によって送信されたアップリンクデータパケットの初期ブロックエラーレートと、第２の閾値との間の関係に従って、前記ユーザ機器のアップリンク電力が制限されているかどうかを判定することは、
変調符号化方式インデックスが前記第１の閾値より小さい、第１の所定の数の、前記ユーザ機器によって送信されたアップリンクデータパケットが存在し、かつ、前記ユーザ機器によって送信されたアップリンクデータパケットの初期ブロックエラーレートが、前記第２の閾値より大きいと判定された場合、前記ユーザ機器のアップリンク電力は制限されていると判定すること
を含み、前記変調符号化方式インデックスが前記第１の閾値より小さい、前記第１の所定の数のアップリンクデータパケットは、連続している、請求項１に記載の方法。
【請求項３】
前記ユーザ機器によって送信されたアップリンクデータパケットのうちの、２つの連続したアップリンクデータパケットの間の間隔が、予め設定された第５の閾値以下である、請求項２に記載の方法。
【請求項４】
検出された前記ユーザ機器によって送信されたアップリンクデータパケットの、変調符号化方式のインデックスと、第１の閾値との間の関係、及び、検出された前記ユーザ機器によって送信された前記アップリンクデータパケットの初期ブロックエラーレートと、第２の閾値との間の関係に従って、前記ユーザ機器のアップリンク電力が制限されているかどうかを判定することは、
予め設定された時間内に、変調符号化方式インデックスが前記第１の閾値より小さい、第１の所定の数の、前記ユーザ機器によって送信されたアップリンクデータパケットが存在し、かつ、前記ユーザ機器によって送信されたアップリンクデータパケットの初期ブロックエラーレートが、前記第２の閾値より大きいと判定された場合、前記ユーザ機器のアップリンク電力は制限されていると判定すること
を含む、請求項１に記載の方法。
【請求項５】
ユーザ機器によって送信されたアップリンクデータパケットの初期ブロックエラーレートを検出することは、
前記ユーザ機器によって送信され、第１の時間周期内に受信されたアップリンクデータパケットの初期ブロックエラーレートを検出すること、又は、
第２の所定の数の、前記ユーザ機器によって送信されたアップリンクデータパケットの初期ブロックエラーレートを検出し、前記第２の所定の数のアップリンクデータパケットは連続していること、又は、
第２の時間周期において受信した、前記ユーザ機器によって送信されたアップリンクデータパケットの数が、第３の閾値以上である場合、前記ユーザ機器によって送信され、かつ、前記第２の時間周期内に受信したアップリンクデータパケットの初期ブロックエラーレートを検出すること
を含む、請求項１〜４のいずれか一項に記載の方法。
【請求項６】
前記ユーザ機器のアップリンク電力が制限されていると判定された場合、セルハンドオーバを実行するよう前記ユーザ機器をトリガすること
を更に含む、請求項１〜５のいずれか一項に記載の方法。
【請求項７】
セルハンドオーバを実行するよう前記ユーザ機器をトリガすることは、
前記セルハンドオーバを実行するために、間欠的隣接セル測定を実行するよう前記ユーザ機器をトリガすること
を含み、前記間欠的隣接セル測定は、周波数間間欠的隣接セル測定、又はシステム間間欠的隣接セル測定である、請求項６に記載の方法。
【請求項８】
ユーザ機器によって送信されたアップリンクデータパケットの変調符号化方式及び初期ブロックエラーレートを検出するように構成された、検出ユニットと、
検出された前記ユーザ機器によって送信されたアップリンクデータパケットの変調符号化方式のインデックスと、第１の閾値との間の関係、及び、検出された前記ユーザ機器によって送信されたアップリンクデータパケットの初期ブロックエラーレートと、第２の閾値との間の関係に従って、前記ユーザ機器のアップリンク電力が制限されているかどうかを判定するように構成された、判定ユニットと
を備える、アップリンク電力を検出する装置。
【請求項９】
前記判定ユニットは、変調符号化方式インデックスが前記第１の閾値より小さい、第１の所定の数の、前記ユーザ機器によって送信されたアップリンクデータパケットが存在し、かつ、前記ユーザ機器によって送信されたアップリンクデータパケットの初期ブロックエラーレートが、前記第２の閾値より大きいと判定された場合、前記ユーザ機器のアップリンク電力が制限されていると判定し、
前記変調符号化方式インデックスが前記第１の閾値より小さい、前記第１の所定の数のアップリンクデータパケットは、連続している、
請求項８に記載の装置。
【請求項１０】
前記ユーザ機器によって送信されたアップリンクデータパケットのうちの、２つの連続したアップリンクデータパケットの間の間隔が、予め設定された第５の閾値以下である、請求項９に記載の装置。
【請求項１１】
前記判定ユニットは、予め設定された時間内に、変調符号化方式インデックスが前記第１の閾値より小さい、第１の所定の数の、前記ユーザ機器によって送信されたアップリンクデータパケットが存在し、かつ、前記ユーザ機器によって送信されたアップリンクデータパケットの初期ブロックエラーレートが、前記第２の閾値より大きいと判定された場合、前記ユーザ機器のアップリンク電力が制限されていると判定する、
請求項８に記載の装置。
【請求項１２】
前記検出ユニットは、初期ブロックエラーレートを検出するように構成された、ブロックエラーレート検出ユニットを備え、前記ブロックエラーレート検出ユニットは、
前記ユーザ機器によって送信され、かつ、第１の時間周期内に受信されたアップリンクデータパケットの初期ブロックエラーレートを検出するように構成された、第１の検出サブユニット、又は、
第２の所定の数の、前記ユーザ機器によって送信されたアップリンクデータパケットの初期ブロックエラーレートを検出するように構成され、前記第２の所定の数のアップリンクデータパケットは連続している、第２の検出サブユニット、又は、
第２の時間周期において受信した、前記ユーザ機器によって送信されたアップリンクデータパケットの数が、第３の閾値以上である場合、前記ユーザ機器によって送信され、かつ、前記第２の時間周期内に受信したアップリンクデータパケットの初期ブロックエラーレートを検出するように構成された、第３の検出サブユニット
を備える、請求項８〜１１のいずれか一項に記載の装置。
【請求項１３】
前記判定ユニットが、前記ユーザ機器のアップリンク電力が制限されていると判定した場合に、セルハンドオーバを実行するよう前記ユーザ機器をトリガするように構成された、トリガユニット
を更に備える、請求項８〜１２のいずれか一項に記載の装置。
【請求項１４】
前記判定ユニットが、前記ユーザ機器の前記アップリンク電力が制限されていると判定した場合に、前記トリガユニットは、前記セルハンドオーバを実行するために、間欠的隣接セル測定を実行するよう前記ユーザ機器をトリガし、前記間欠的隣接セル測定は、周波数間間欠的隣接セル測定、又はシステム間間欠的隣接セル測定である、請求項１３に記載の装置。
【請求項１５】
請求項８〜１４のいずれか一項に記載のアップリンク電力を検出する装置を備える、基地局装置。
【請求項１６】
プログラムを記憶したコンピュータ可読記憶媒体であって、前記プログラムがコンピュータに請求項１〜７のいずれか一項に記載の方法を実行させる、コンピュータ可読記憶媒体。
【発明の詳細な説明】
【技術分野】
【０００１】
本出願は、２０１１年２月２３日に中国専利局に出願された、「アップリンク電力検出方法、装置、及び基地局装置」と題された、中国特許出願第２０１１１００４４８２１．１号の優先権を主張するものであり、当該出願はその全体が参照によって本明細書中に援用される。
【０００２】
本発明は、無線通信技術の分野に関し、特に、アップリンク電力検出方法、装置、及び基地局装置に関する。
【背景技術】
【０００３】
ネットワークカバレッジが制限されている場合、基地局はセルハンドオーバをトリガする。既存のセルハンドオーバは、ダウンリンク信号の品質に基づいてトリガされ、すなわち、ダウンリンク信号の品質が閾値より低い場合、ユーザ機器（Ｕｓｅｒ  Ｅｑｕｉｐｍｅｎｔ、以下ではＵＥと略記）は、セルハンドオーバを実行するようトリガされる。ネットワークプランにおいて、しかし、アップリンク電力とダウンリンク電力との間の不均衡の現象が存在する。結果として、ダウンリンクカバレッジより早くアップリンクカバレッジが制限される状況が発生する可能性がある。すなわち、ダウンリンクカバレッジが制限されていない場合に、アップリンクカバレッジはすでに制限されている状況である。特に、アップリンク内に干渉が存在するシナリオでは、ＵＥのアップリンク伝送電力は、ダウンリンクより早く制限される可能性が高く、これにより、ダウンリンクカバレッジより早く、アップリンクカバレッジが制限されることが発生する。ＵＥのアップリンク伝送電力が制限される場合、通話切れ（ｃａｌｌ  ｄｒｏｐ）が発生する可能性がある。
【０００４】
従来技術におけるセルハンドオーバ手法は、以下の問題を有する。ハンドオーバは、ダウンリンク信号品質に基づいてトリガされ、アップリンク信号制限状況を正確に特徴付けられることができない。ダウンリンクカバレッジより早くアップリンクカバレッジが制限された場合、ダウンリンク信号品質はハンドオーバをトリガする閾値に到達しないため、ハンドオーバはトリガされず、これにより、ＵＥは通話切れしがちになる。従って、アップリンク電力が制限されていることが検出された場合にハンドオーバがトリガされることが可能となるように、アップリンク電力が制限されているかどうかを検出する方法が提供される必要がある。
【発明の概要】
【発明が解決しようとする課題】
【０００５】
本発明の実施形態は、アップリンク電力が制限されているかどうかを検出するための、アップリンク電力検出方法、装置、及び基地局装置を提供する。
【課題を解決するための手段】
【０００６】
本発明の実施形態は、以下の技術的解決法によって具体的に実装されることができる。
【０００７】
一態様では、アップリンク電力検出方法が提供される。この方法は、
ユーザ機器によって送信されたアップリンクデータパケットの変調符号化方式及び初期ブロックエラーレートを検出し、
検出された、ユーザ機器によって送信されたアップリンクデータパケットの変調符号化方式のインデックスと、第１の閾値との間の関係、及び、検出された、ユーザ機器によって送信されたアップリンクデータパケットの初期ブロックエラーレートと、第２の閾値との間の関係に従って、ユーザ機器のアップリンク電力が制限されているかどうかを判定することを含む。
【０００８】
アップリンク電力検出装置が更に提供される。この装置は、
ユーザ機器によって送信されたアップリンクデータパケットの変調符号化方式及び初期ブロックエラーレートを検出するように構成された、検出ユニットと、
検出された、ユーザ機器によって送信されたアップリンクデータパケットの変調符号化方式のインデックスと、第１の閾値との間の関係、及び、検出された、ユーザ機器によって送信されたアップリンクデータパケットの初期ブロックエラーレートと、第２の閾値との間の関係に従って、ユーザ機器のアップリンク電力が制限されているかどうかを判定するように構成された、判定ユニットとを含む。
【０００９】
別の態様では、本発明の実施形態によって提供される、アップリンク電力検出装置のうちの任意の１つを含む、基地局装置が更に提供される。
【発明の効果】
【００１０】
本発明の実施形態によって提供される、アップリンク電力検出方法、装置、及び基地局装置によれば、基地局装置は、ＵＥによって送信されたアップリンクデータパケットの変調符号化方式及び初期ブロックエラーレートを検出し、そして、検出された変調符号化方式のインデックスと、第１の閾値との間の関係、及び、検出された初期ブロックエラーレートと、第２の閾値との間の関係に従って、ユーザ機器のアップリンク電力が制限されているかどうかを判定することが可能であり、これにより、ＵＥのアップリンク信号制限状況を正確に特徴付けることができる。
【図面の簡単な説明】
【００１１】
【図１】本発明の実施形態による、アップリンク電力検出方法のフローチャートである。
【図２】本発明の別の実施形態による、アップリンク電力検出方法のフローチャートである。
【図３】本発明の実施形態による、アップリンク電検出装置の概略図である。
【図４】本発明の別の実施形態による、アップリンク電力検出装置の概略図である。
【発明を実施するための形態】
【００１２】
本発明の目的、技術的解決法、及び利点をより明確に、かつ理解しやすくするために、以下では、本発明の技術的解決法について、添付の図面及び実施形態を参照して詳細に更に説明する。
【００１３】
図１は、本発明の一実施形態による、アップリンク電力検出方法のフローチャートである。図１に示すように、この方法は、以下のステップを含む。
【００１４】
ステップ１０１：ユーザ機器によって送信されたアップリンクデータパケットの変調符号化方式及び初期ブロックエラーレートを検出する。
【００１５】
ＵＥによって送信されたアップリンクデータパケットについて、基地局装置は、受信されたアップリンクデータパケットの変調符号化方式（Ｍｏｄｕｌａｔｉｏｎ  ａｎｄ  Ｃｏｄｉｎｇ  Ｓｃｈｅｍｅ、以下ではＭＣＳと略記）、及びアップリンクデータパケットの初期ブロックエラーレート（Ｉｎｉｔｉａｌ  Ｂｌｏｃｋ  Ｅｒｒｏｒ  Ｒａｔｅ、以下ではＩＢＬＥＲと略記）を検出することができる。ＧＳＭシステムでは、基地局装置はベーストランシーバステーション（Ｂａｓｅ  Ｔｒａｎｓｃｅｉｖｅｒ  Ｓｔａｔｉｏｎ、ＢＴＳ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）システム及びＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、時分割同期符号分割多元接続）システムでは、基地局装置はＮｏｄｅＢであってもよく、ＬＴＥシステムでは、基地局装置は発展型基地局（ｅＮｏｄｅＢ）であってもよいということに留意されたい。
【００１６】
ユーザ機器によって送信されたアップリンクデータパケットの変調符号化方式及び初期ブロックエラーレートを検出する、複数の方法が存在する。例えば従来技術を参照されたい。
【００１７】
ステップ１０２：検出された、ユーザ機器によって送信されたアップリンクデータパケットの変調符号化方式のインデックスと、第１の閾値との間の関係、及び、検出された、ユーザ機器によって送信されたアップリンクデータパケットの初期ブロックエラーレートと、第２の閾値との間の関係に従って、ユーザ機器のアップリンク電力が制限されているかどうかを判定する。
【００１８】
基地局装置は、検出された、ユーザ機器によって送信されたアップリンクデータパケットのＭＣＳ及びＩＢＬＥＲに従って、ユーザ機器のアップリンク電力が制限されているかどうかを判定することができる。例えば、基地局装置が、ＭＣＳインデックスが予め設定された閾値Ａ（すなわち、第１の閾値）以下である、所定の数の、ユーザ機器によって送信されたアップリンクデータパケットが存在することを検出した場合、基地局装置は、ＩＢＬＥＲが、別の予め設定された閾値Ｂ（すなわち、第２の閾値）より大きいかどうかを判定する。ＩＢＬＥＲが閾値Ｂより大きい場合、基地局装置は、ユーザ機器のアップリンク電力が制限されていると判定することができる。
【００１９】
本発明のこの実施形態では、基地局装置は、ＵＥによって送信されたアップリンクデータパケットのＭＣＳ及びＩＢＬＥＲを検出することが可能であり、そして、検出されたＭＣＳ及びＩＢＬＥＲに従って、ＵＥのアップリンク電力が制限されているかどうかを判定することが可能であり、これにより、ＵＥのアップリンク信号制限状況をより正確に特徴付けることができる。
【００２０】
図２は、本発明の別の実施形態による、アップリンク電力検出方法のフローチャートである。図２に示すように、この方法は、以下のステップを含む。
【００２１】
ステップ２０１：基地局装置は、ＵＥによって送信されたアップリンクデータパケットのＭＣＳを検出する。
【００２２】
このステップでは、基地局装置は、ＵＥに関するＭＣＳ検出を実行する。ＭＣＳ検出プロセスは次の通りであってもよい。基地局装置は、ＵＥによって送信された各アップリンクデータパケットのＭＣＳを取得し、取得したＭＣＳを閾値（例えば、第１の閾値）と比較する。
【００２３】
ステップ２０２：ＭＣＳインデックスが第１の閾値より小さい、第１の所定の数の、ＵＥによって送信されたアップリンクデータパケットが存在し、かつ、ＵＥによって送信されたアップリンクデータパケットのＩＢＬＥＲが、第２の閾値より大きいと判定された場合、ＵＥのアップリンク電力は制限されていると判定し、ここで、ＭＣＳインデックスが第１の閾値より小さい、第１の所定の数のアップリンクデータパケットは連続している。
【００２４】
基地局装置が、ＭＣＳインデックスが予め設定された第１の閾値より小さい、連続したＮ１個の、ＵＥによって送信されたアップリンクデータパケットが存在することを検出した場合、基地局装置は、ＵＥによって送信されたアップリンクデータパケットのＩＢＬＥＲを判定してもよい。例えば、基地局装置は、ＵＥによって送信されたアップリンクデータパケットのＩＢＬＥＲに関する統計を有効にしてもよく、すなわち、ＵＥによって送信されたアップリンクデータパケットのＩＢＬＥＲに関する統計の収集を開始してもよい。Ｎ１は第１の所定の数であり、Ｎ１は設定可能である。第１の閾値は、例えば、１〜２８であってもよく、かつ、必要に応じて特定の値に設定され得る。
【００２５】
基地局装置が、ＵＥによって送信され、かつ、ＭＣＳインデックスが第１の閾値より小さい、連続したアップリンクデータパケットの数に関する統計を収集している場合、２つの連続したアップリンクデータパケットの間の間隔は制限されていなくてもよく、或いは、２つの連続したアップリンクデータパケットの間の間隔は制限されていてもよい、ということに留意されたい。間隔が制限されている状況は、例えば、次の通りであってもよい。２つの連続したアップリンクデータパケットの間の間隔が、予め設定された閾値（例えば、第５の閾値）より大きい場合、今回の統計は停止され、次の統計が開始される。言い換えると、このステップでは、ユーザ機器によって送信されたアップリンクデータパケットのうちの、２つの連続したアップリンクデータパケットの間の間隔が、予め設定された閾値以下である場合、統計は有効であると考えることができる。
【００２６】
基地局装置が、ＭＣＳインデックスが予め設定された第１の閾値より小さい、連続したＮ１個の、ＵＥによって送信されたアップリンクデータパケットが存在することを検出しない場合、これは、アップリンクが安定しているということを示し、後続のＩＢＬＥＲ統計は収集されなくてもよい。この時、基地局装置は、ＵＥによって送信されたアップリンクデータパケットのＭＣＳを引き続き検出し続けてもよい。
【００２７】
具体的には、基地局装置は、ＵＥによって送信されたアップリンクデータパケットのＩＢＬＥＲを、以下の手法で検出してもよい。
【００２８】
第１の手法：ＵＥによって送信され、かつ、第１の時間周期内に受信したアップリンクデータパケットのＩＢＬＥＲが検出され、ここで、第１の時間周期は、例えば、予め設定された時間周期Ｔ１である。
【００２９】
例えば、これは以下の通りであってもよい。ＩＢＬＥＲ統計周期が、第１の時間周期Ｔ１に設定される。基地局装置は、式１に従って、ＵＥによって送信され、かつ、周期Ｔ１内に受信した全てのアップリンクデータパケットのＩＢＬＥＲに関する統計を収集し、ここで、
式１：ＩＢｌｅｒ＝ＣｎｔＣｏｒｒｅｃｔ／（ＣｎｔＣｏｒｒｅｃｔ＋ＣｎｔＩｎｃｏｒｒｅｃｔ）
であり、上式で、ＣｎｔＣｏｒｒｅｃｔは、統計周期内に基地局装置によって正しく復調されたブロックの数を示し、ＣｎｔＩｎｃｏｒｒｅｃｔは、統計周期内に基地局装置によって誤って復調されたブロックの数を示す。
【００３０】
第２の手法：ＵＥによって送信された第２の所定の数のアップリンクデータパケットのＩＢＬＥＲが検出され、ここで、第２の所定の数のアップリンクデータパケットは連続しており、第２の所定の数は、予め設定された統計数である。
【００３１】
例えば、これは以下の通りであってもよい。ＩＢＬＥＲ統計数が、Ｎ２に設定される。ＵＥによって送信されたアップリンクデータパケットのＩＢＬＥＲの検出が有効にされると、基地局装置は、正しく復調されたブロックの数、及び誤って復調されたブロックの数に関する統計の収集を開始する。ブロックの総数に関する統計がＮ２になった場合、それらのアップリンクデータパケットのＩＢＬＥＲに関する統計が、式１に従って収集されてもよい。式中、ＣｎｔＣｏｒｒｅｃｔは、所定の統計数（Ｎ２）のうちの、基地局装置によって正しく復調されたブロックの数を示し、ＣｎｔＩｎｃｏｒｒｅｃｔは、所定の統計数のうちの、基地局装置によって誤って復調されたブロックの数を示す。
【００３２】
第３の手法：第２の時間周期において、受信した、ＵＥによって送信されたアップリンクデータパケットの数が、第３の閾値以上である場合、ＵＥによって送信され、かつ、第２の時間周期内に受信されたアップリンクデータパケットの初期ブロックエラーレートが検出される。
【００３３】
この手法は、例えば、以下の通りであってもよい。ＵＥによって送信され、かつ、第２の時間周期内に受信したアップリンクデータパケットのＩＢＬＥＲに関する統計を収集し、そして、ＵＥによって送信され、かつ、第２の時間周期内に受信したアップリンクデータパケットの数に関する統計を収集する。第２の時間周期において受信した、ＵＥによって送信されたアップリンクデータパケットの数が、第３の閾値以上である場合、統計ＩＢＬＥＲは有効であると考えられ、統計ＩＢＬＥＲは第２の閾値と比較される。第２の時間周期において受信した、ＵＥによって送信されたアップリンクデータパケットの数が、第３の閾値より小さい場合、統計ＩＢＬＥＲは無効であると考えられ、統計ＩＢＬＥＲは第２の閾値と比較されず、次の時間周期内のＩＢＬＥＲに関する統計が収集されてもよい。このプロセスは、ＵＥによって送信され、かつ、時間周期内に受信されたアップリンクデータパケットの数が、第３の閾値以上になるまで繰り返される。次いで、統計ＩＢＬＥＲは第２の閾値と比較される。第２の時間周期は予め設定された時間周期であり、第１の時間周期に等しくてもよく、又は、第１の時間周期に等しくなくてもよい。
【００３４】
この手法では、ＵＥによって送信され、かつ、周期Ｔ２内に受信されたアップリンクデータパケットの数が十分である場合に、周期Ｔ２内で収集された統計ＩＢＬＥＲが、検出されたＩＢＬＥＲとして使用され、これにより、周期Ｔ２内のＩＢＬＥＲ検出の正確さが向上し、これは、ＩＢＬＥＲに基づいたアップリンク電力が制限されているかどうかの判定結果をより正確にするということに留意されたい。
【００３５】
ＩＢＬＥＲを検出した後、基地局装置は検出されたＩＢＬＥＲを、予め設定された第２の閾値と比較してもよい。ＩＢＬＥＲが第２の閾値より大きい場合、これは、アップリンクが十分に安定していないことを示し、基地局装置は、ＵＥのアップリンク電力が制限されていると判定することができる。ＩＢＬＥＲが第２の閾値以下である場合、これは、アップリンクが安定していることを示す。この時、新たな周期のＩＢＬＥＲ統計が開始されてもよい。第２の閾値は、例えば、０〜１であってもよく、必要に応じて特定の値に設定され得る。
【００３６】
更に、基地局装置がＵＥのアップリンク電力が制限されていることを検出した後、基地局装置は、ハンドオーバを実行するようＵＥをトリガしてもよく、これにより、ＵＥの通話切れ率（ｃａｌｌ  ｄｒｏｐ  ｒａｔｅ）が減少する。
【００３７】
ステップ２０３：ＵＥのアップリンク電力が制限されていると判定された場合、セルハンドオーバを実行するようＵＥをトリガする。
【００３８】
例えば、ＵＥのアップリンク電力が制限されていると判定された後、基地局装置は、周波数間又はシステム間隣接セルの信号品質を測定するための間欠的隣接セル（ＧＡＰ）測定を実行するようＵＥをトリガしてもよい。信号品質が要件を満たす場合（例えば、ハンドオーバをトリガするイベントを満たす場合）、ＵＥは、セルハンドオーバを実行するようトリガされる。ＧＡＰ測定は、周波数間ＧＡＰ測定であってもよく、又はシステム間ＧＡＰ測定であってもよい。この実施形態が周波数間ネットワークに適用される場合、ＧＡＰ測定は周波数間ＧＡＰ測定である。この実施形態がシステム間に適用される場合、ＧＡＰ測定はシステム間ＧＡＰ測定である。
【００３９】
ＵＥによって報告された測定レポートが要件を満たす場合、基地局装置は、ハンドオーバを開始することを決定してもよい。
【００４０】
この方法は、以下のステップを更に含んでもよい。
【００４１】
ステップ２０２Ｂ：基地局装置が、ＵＥによって送信されたアップリンクデータパケットのＩＢＬＥＲを検出しているとき、基地局装置は、ＵＥによって送信されたアップリンクデータパケットのＭＣＳを引き続き検出する。
【００４２】
ステップ２０２Ｃ：基地局装置が、ＭＣＳインデックスが第４の閾値より大きい、第３の所定の数の、ＵＥによって送信されたアップリンクデータパケットが存在することを検出した場合、基地局装置は、ＵＥによって送信されたアップリンクデータパケットのＩＢＬＥＲを検出することを停止してもよく、すなわち、ステップ２０２における、ＵＥによって送信されたアップリンクデータパケットのＩＢＬＥＲを取得する動作を停止してもよい。変調符号化方式インデックスが第４の閾値より大きい、第３の所定の数のアップリンクデータパケットは、連続している。第３の所定の数と、第１の所定の数とは、２つの独立したパラメータであり、これらは必要に応じて別個に設定され得る。第４の閾値は、必要に応じて特に設定されてもよく、第４の閾値は、第１の閾値以上である。
【００４３】
ステップ２０２Ｂ及びステップ２０２Ｃが追加された後、基地局装置が、ＭＣＳインデックスが第４の閾値より大きい、第３の所定の数の連続した、ＵＥによって送信されたアップリンクデータパケットが存在することを検出した場合、これは、ＵＥのアップリンクが現在安定していることを示し、セルハンドオーバは実行されなくてもよい。従って、アップリンクデータパケットのＩＢＬＥＲに関する統計も収集されなくてもよい。但し、ステップ２０２Ｂ及びステップ２０２Ｃは省略可能であり、図には示されていない。
【００４４】
別の実施手法では、この実施形態におけるステップ２０２は、以下のステップ２０２’によって置き換えられてもよいということに留意されたい。ここで、ステップ２０２’は以下の通りである。
【００４５】
予め設定された時間内に、ＭＣＳインデックスが第１の閾値より小さい、第１の所定の数の、ＵＥによって送信されたアップリンクデータパケットが存在し、かつ、ＵＥによって送信されたアップリンクデータパケットのＩＢＬＥＲが、第２の閾値より大きいと判定された場合、ＵＥのアップリンク電力は制限されていると判定する。
【００４６】
具体的には、ステップ２０２’は以下の通りであってもよい。予め設定された時間セグメント内の、ＵＥによって送信されたアップリンクデータパケットについて、ＭＣＳインデックスが第１の閾値より小さい、特定の数のアップリンクデータパケットが存在し、かつ、ＵＥによって送信されたアップリンクデータパケットのＩＢＬＥＲが、第２の閾値より大きいと判定された場合、ＵＥのアップリンク電力は制限されていると判定され、ここで、ＭＣＳインデックスが第１の閾値より小さいアップリンクデータパケットは連続していなくてもよい。例えば、検出が開始された瞬間から、タイマが有効にされてもよい。タイマがタイムアウトする前に、ＭＣＳインデックスが第１の閾値より小さい、所定の数のアップリンクデータパケットが存在する場合、基地局装置は、ＵＥによって送信されたアップリンクデータパケットのＩＢＬＥＲを判定して、ＵＥのアップリンク電力が制限されているかどうかを判定してもよい。基地局装置がアップリンクデータパケットのＩＢＬＥＲを判定するプロセスについては、ステップ２０２における説明を参照されたい。
【００４７】
この実施形態では、ＭＣＳ及びＩＢＬＥＲを、アップリンク電力が制限されているかどうかを判定するための基準として使用できるすなわち、ＭＣＳインデックスが第１の閾値より小さい、特定の数のアップリンクデータパケットが存在し、かつ、後続の予め設定された長さの時間内のＩＢＬＥＲが、第２の閾値より大きい場合、基地局装置は、ＵＥのアップリンク電力が制限されていると判定し、ＵＥについてのセルハンドオーバを実行してもよい。第１の閾値、及び第２の閾値は、システムの実際の状況に基づいて設定され得る。
【００４８】
本発明のこの実施形態では、ＭＣＳ及びＩＢＬＥＲを検出することによって、ＵＥのアップリンク信号制限状況を正確に特徴付けることが可能であり、ＵＥのアップリンクが制限されていることが判明した場合、適時にハンドオーバを開始することが可能であり、これにより、ＵＥの通話切れ率が減少する。
【００４９】
当業者は、方法の実施形態におけるステップの全て又は一部が、関連するハードウェアに指示するコンピュータプログラムによって実装されてもよいということを理解するであろう。プログラムは、コンピュータ読み取り可能な記憶媒体内に記憶され得る。プログラムが実行される場合、方法の実施形態におけるステップが実行される。記憶媒体は、ＲＯＭ、ＲＡＭ、磁気ディスク、又は光ディスクなどの、プログラムコードを記憶することが可能な任意の媒体を含む。
【００５０】
図３は、本発明の一実施形態による、アップリンク電力検出装置の概略図である。図３に示すように、この装置は、検出ユニット３１と、判定ユニット３３とを含む。
【００５１】
検出ユニット３１は、ユーザ機器によって送信されたアップリンクデータパケットの変調符号化方式及び初期ブロックエラーレートを検出するように構成される。
【００５２】
判定ユニット３３は、検出された、ユーザ機器によって送信されたアップリンクデータパケットの変調符号化方式のインデックスと、第１の閾値との間の関係、及び、検出された、ユーザ機器によって送信されたアップリンクデータパケットの初期ブロックエラーレートと、第２の閾値との間の関係に従って、ユーザ機器のアップリンク電力が制限されているかどうかを判定するように構成される。
【００５３】
この実施形態における各ユニットの詳細な動作プロセス及び動作原理については、前述の方法実施形態における説明を参照でき、詳細についてここで再度説明することはしない。
【００５４】
本発明のこの実施形態では、検出ユニットは、ＵＥによって送信されたアップリンクデータパケットのＭＣＳ及びＩＢＬＥＲを検出し、判定ユニットは、検出されたＭＣＳ及びＩＢＬＥＲに従って、ＵＥのアップリンク電力が制限されているかどうかを判定することが可能であり、これにより、ＵＥのアップリンク信号制限状況をより正確に特徴付けることができる。
【００５５】
図４は、本発明の別の実施形態による、アップリンク電力検出装置の概略図である。図３に示す実施形態に基づいて、図４に示すように、
【００５６】
判定ユニット３３は、変調符号化方式インデックスが第１の閾値より小さい、第１の所定の数の、ユーザ機器によって送信されたアップリンクデータパケットが存在し、かつ、ユーザ機器によって送信されたアップリンクデータパケットの初期ブロックエラーレートが、第２の閾値より大きいと判定された場合、ユーザ機器のアップリンク電力は制限されていると判定するように特に構成されてもよく、ここで、変調符号化方式インデックスが第１の閾値より小さい、第１の所定の数のアップリンクデータパケットは、連続している。更に、ユーザ機器によって送信されたアップリンクデータパケットのうちの、２つの連続したアップリンクデータパケットの間の間隔は、予め設定された第５の閾値以下であってもよく、すなわち、変調符号化方式インデックスが第１の閾値より小さい、連続したアップリンクデータパケットの数に関する統計を収集しているとき、２つの連続したデータパケットの間の間隔が、予め設定された閾値以下である場合、統計は有効であると考えられる。
【００５７】
あるいは、判定ユニット３３は、予め設定された時間内に、変調符号化方式インデックスが第１の閾値より小さい、第１の所定の数の、ユーザ機器によって送信されたアップリンクデータパケットが存在し、かつ、ユーザ機器によって送信されたアップリンクデータパケットの初期ブロックエラーレートが、第２の閾値より大きいと判定された場合、ユーザ機器のアップリンク電力は制限されていると判定するように特に構成されてもよい。
【００５８】
検出ユニット３１は、初期ブロックエラーレートを検出するように構成された、ブロックエラーレート検出ユニット３１１を含み得る。ブロックエラーレート検出ユニット３１１は、第１の検出サブユニット３１１１、第２の検出サブユニット３１１３、又は第３の検出サブユニット３１１５を含む。
【００５９】
第１の検出サブユニット３１１１は、ユーザ機器によって送信され、かつ、第１の時間周期内に受信したアップリンクデータパケットの初期ブロックエラーレートを検出するように構成される。第２の検出サブユニット３１１３は、ユーザ機器によって送信された第２の所定の数のアップリンクデータパケットの初期ブロックエラーレートを検出するように構成され、ここで、第２の所定の数のアップリンクデータパケットは連続している。第３の検出サブユニット３１１５は、第２の時間周期において受信した、ユーザ機器によって送信されたアップリンクデータパケットの数が、第３の閾値以上である場合、第２の時間周期内に受信した、ユーザ機器によって送信されたアップリンクデータパケットの初期ブロックエラーレートを検出するように構成される。
【００６０】
更に、検出ユニット３１は、変調符号化方式を検出するように構成された、符号化方式検出ユニット３１３を更に含んでもよい。
【００６１】
符号化方式検出ユニット３１３は、ブロックエラーレート検出ユニット３１１が、ユーザ機器によって送信されたアップリンクデータパケットの初期ブロックエラーレートを検出しているとき、ユーザ機器によって送信されたアップリンクデータパケットの変調符号化方式を検出するように更に構成される。
【００６２】
ブロックエラーレート検出ユニット３１１は、符号化方式検出ユニット３１３が、変調符号化方式インデックスが第４の閾値より大きい、第３の所定の数の、ユーザ機器によって送信されたアップリンクデータパケットが存在することを検出した場合、ユーザ機器によって送信されたアップリンクデータパケットの初期ブロックエラーレートを検出することを停止するように更に構成される。
【００６３】
更に、アップリンク電力検出装置は、トリガユニット３５を更に含んでもよい。
【００６４】
トリガユニット３５は、判定ユニット３３が、ユーザ機器のアップリンク電力が制限されていると判定した場合に、セルハンドオーバを実行するようユーザ機器をトリガするように構成される。
【００６５】
具体的には、トリガユニット３５は、判定ユニット３３が、ユーザ機器のアップリンク電力が制限されていると判定した場合に、セルハンドオーバを実行するために、間欠的隣接セル測定をトリガするように構成され、ここで、間欠的隣接セル測定は、周波数間間欠的隣接セル測定、又はシステム間間欠的隣接セル測定である。
【００６６】
この実施形態における各ユニットの詳細な動作プロセス及び動作原理については、前述の方法実施形態における説明を参照でき、詳細についてここで再度説明することはしない。
【００６７】
本発明のこの実施形態では、検出ユニットは、ＵＥによって送信されたアップリンクデータパケットのＭＣＳ及びＩＢＬＥＲを検出し、判定ユニットは、検出されたＭＣＳ及びＩＢＬＥＲに従って、アップリンク電力が制限されているかどうかを判定することが可能であり、これにより、ＵＥのアップリンク信号制限状況をより正確に特徴付けることができる。加えて、トリガユニットは、ＵＥのアップリンクが制限されていることが判明した場合、適時にハンドオーバを開始することが可能であり、ＵＥの通話切れ率が減少する。
【００６８】
本発明の一実施形態は、基地局装置を更に提供する。基地局装置は、図３又は図４に示す実施形態によって提供される、アップリンク電力検出装置のうちの任意の１つを含む。
【００６９】
この実施形態における各ユニットの詳細な動作プロセス及び動作原理については、前述の方法実施形態における説明を参照でき、詳細についてここで再度説明することはしない。
【００７０】
本発明のこの実施形態では、基地局装置は、ＵＥによって送信されたアップリンクデータパケットのＭＣＳ及びＩＢＬＥＲを検出し、検出されたＭＣＳ及びＩＢＬＥＲに従って、ＵＥのアップリンク電力が制限されているかどうかを判定することが可能であり、これにより、ＵＥのアップリンク信号制限状況をより正確に特徴付けることができる。加えて、基地局装置は、ＵＥのアップリンクが制限されていることが判明した場合、適時にハンドオーバを開始することが可能であり、ＵＥの通話切れ率が減少する。
【００７１】
本発明の実施形態における方法、装置、及び基地局装置は、システム間又はＬＴＥシステムの周波数間ネットワーク、例えば、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサル・モバイル・テレコミュニケーション・システム、これは、３Ｇモバイル通信技術標準である）、又はＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバル・システム・フォー・モバイル・コミュニケーション、これは、２Ｇモバイル通信技術標準である）、ＬＴＥ（Ｌｏｎｇ  Ｔｅｒｍ  Ｅｖｏｌｕｔｉｏｎ、ロング・ターム・エボリューション・プロジェクト）と呼ばれる異なるシステム間に適用されてもよく、ＵＥは、ＬＴＥから、ＵＭＴＳ又はＧＳＭにハンドオーバされ得るということに留意されたい。但し、周波数間ネットワークは、システムが様々な周波数帯域を含み、周波数帯域に従って複数のセルに分割されてよく、ＵＥは、１つのセルから別のセルにハンドオーバされ得るということを指す。本発明の実施形態における方法、装置、及び基地局装置は、別のシナリオ、例えば、ユーザ機器のアップリンク電力が判定される必要がある任意のシナリオにおける通信ネットワークにも適用されてもよい。本発明の実施形態では、これらについて限定しない。
【００７２】
最後に、前述の実施形態は、本発明を限定することではなく、本発明の技術的解決法を説明することを意図するものにすぎない、ということに留意されたい。本発明について、前述の実施形態を参照して詳細に説明したが、当業者は、前述の実施形態で説明された技術的解決法に対して修正を更に行うこと、又は、そのいくつかの技術的特徴に対して均等な置換を行うことが、それらの修正又は置換が、対応する技術的解決法の本質を本発明の実施形態の技術的解決法の精神及び範囲から逸脱させない限り、可能であるということを理解するであろう。
【図１】
0005632546.tif 000002
【図２】
0005632546.tif 000003
【図３】
0005632546.tif 000004
【図４】
0005632546.tif 000005